(57)【要約】      （修正有）【課題】車載ペット用ソファを提供する。【解決手段】車載ペット用ソファは、ソファ本体１とペットパッド２とからなる。ソファ本体１は、開いた上部を有する樽型構造である。ソファ本体には収容空間が形成されている。ペットパッド２は、内部の収容キャビティ内に取り外し可能に取り付けられる。ソファ本体には、支持部が設けられており、この支持部は、ペットパッドを支持するペットパッドの下方に配置されている。支持部分は、ソファ本体と一緒に折り畳まれて平らな本体を形成することができる。本考案の支持部は、ソファ本体と一体的に配置され、ソファ本体の折り畳みと重なり合うことができるので、ソファ本体全体が平らな本体を形成することができ、車のトランクに収納する際や、持ち上げる時にあまりにも多くのスペースを取らず、使いやすい。【選択図】図１
0003215369.tif 000002
【実用新案登録請求の範囲】
【請求項１】
車載ペット用ソファであって、ソファ本体とペットパッドとを備え、
前記ソファ本体は、開いた上部を有する樽型構造であって、
前記ソファ本体には、樽形の内部に収納空間が形成され、前記ペットパッドは前記収納空間に着脱可能に装着されると共に、
前記ソファ本体には、前記ペットパッドの下側に設けられて前記ペットパッドを支持する支持部が設けられ、前記支持部は、前記ソファ本体とともに折り畳み可能で平らに変形可能であることを特徴とする車載ペット用ソファ。
【請求項２】
前記ソファ本体は長方形の袋体であって、
前記支持部は、少なくとも1つの支持ユニットを含み、
前記支持ユニットは2つの支持板からなり、
前記支持板の後端は、ソファ本体の折畳み方向の側壁の両端に折り畳み可能に配置され、前端が相互に当接する支持板を備えた
請求項１に記載の車載ペット用ソファ。
【請求項３】
前記支持部は、2つの支持部で構成され、前記2つの支持部は対称的に配置されていることを特徴とする請求項2に記載の車載ペット用ソファ。
【請求項４】
前記支持部の2つの前端が互いに突き合わされ、前記2つの支持部が前記ソファの本体と互い違いに重ねられていることを特徴とする請求項3に記載の車載ペット用ソファ。
【請求項５】
前記支持部は、前記ソファ本体の側壁に複数の端部で折り畳み可能に設けられた支持板によって形成されていることを特徴とする請求項1に記載の車載ペット用ソファ。
【請求項６】
断熱層が、ペットパッドの内側壁に取り外し可能に接続されている、請求項1~5のいずれか一項に記載の車載ペット用ソファ。
【請求項７】
前記ソファ本体の側壁の外面には、複数のベルト通し部と調節可能なストラップが設けられ、前記収容空間には、ペットを固定するためのストラップが設けられる、請求項1~5のいずれか一項に記載の車載ペット用ソファ。
【請求項８】
前記ソファ本体の側壁の外面に収納袋が設けられていることを特徴とする請求項1~5のいずれか1項に記載の車載ペット用ソファ。
【請求項９】
前記ペットパッド内に硬質のパッドが配置されていることを特徴とする請求項1~5のいずれかに記載の車載ペット用ソファ。
【考案の詳細な説明】
【技術分野】
【０００１】
本考案は、ペット製品、特に車載ペット用ソファの分野に関連する。
【背景技術】
【０００２】
社会の進歩に伴い、人々の生活の質の追求も増大している。ペットはゆっくりとより多くの人生のパートナーや家族のようになる。ペットに対する人々の姿勢は、伝統的な放し飼いの方法には満足していない。人々はより多くのアイテムや時間をペットに提供する傾向が強く、既存のペット製品にはより多くの要求が課せられている。
【０００３】
出願人は、中国特許出願第201510876454X号を国家知的所有権局に出願している。特許出願は、ベースとペットパッドとを含む多目的ペットソファであって、複数の側壁を備え、ペットパッドの背面は、シート本体の側壁の上端または下端の少なくとも一方の凹部の内壁と交換可能であり、キャビティを受け入れる開口部にペットパッドが着脱自在に配置されている。ペットクッションは、ペットクッションの凹部がシート収納キャビティ内に位置するとき、ペットソファのクッション体を形成する。ペットクッション凹部がシート受け入れキャビティ開口部の上方に位置するとき、ペットクッションはペットソファ本体のカバーを形成する。実用新案のペットソファは、ペットに快適なクッションを提供するだけでなく、サンシェードやコールドプロテクションにも使用でき、同時にシートに固定することができ、ペットのための快適で安全な走行環境を提供する。
【０００４】
しかし、ペットソファー、ペットのソファのための車の中で、人々はしばしばペットが比較的良好な視界を持てるように、一定の高さを有する必要がある。このとき、より厚いペットパッドの設計を採るか、追加の支持パッドの設計を採るかに関わらず、ペットソファの収納や重量の増加によって不便になってしまうだろう。
【０００５】
車載ペット用ソファは、ペットを連れ出す時だけに使用されるもので、頻繁にソファを折り畳んでトランクに入れる必要や、車から取り出す必要があるが、格納しにくいものや重量が重い物は明らかに車載ペット用ソファの範疇には適さないものである。
【先行技術文献】
【特許文献】
【０００６】
【特許文献１】中国特許出願第201510876454X号
【考案の概要】
【考案が解決しようとする課題】
【０００７】
本考案は、既存のペットソファが収納しにくく、重量が重い等の問題を解決するために、車内用のペットソファを提供するものである。
【課題を解決するための手段】
【０００８】
本考案は、以下の技術スキームを採用している：
車内ペット用ソファには、ソファ本体とペットパッドが含まれている。ソファ本体は、開いた上部を有する樽型構造である。ソファ本体に収容空間が形成され、ペットパッドが収容空間内に着脱可能に組み立てられる。ソファ本体には、支持部が設けられており、この支持部は、ペットパッドを支持するペットパッドの下方に配置されている。支持部分は、ソファ本体と一緒に折り畳まれて平らな本体を形成することができる。
【０００９】
より詳しくは：
ソファの本体は、長方形のパッケージ本体である。支持部は、2つの支持板によって形成された少なくとも1つの支持ユニットを含む。支持板の後端部は、ソファ本体の折り畳み方向の側壁の両端に折り曲げ可能に配置され、2つの支持板の先端同士が連結されている。
支持部は2つの支持部から構成され、2つの支持部は対称的に配置されている。
2つの支持ユニットのヘッド端部は、互いに当接している。 2つの支持ユニットは、互い違いになっていてもよく、ソファーの本体と重なっていてもよい。
支持部は、ソファ本体の側壁に複数のブロックの後端部に折り畳み可能に設けられた支持板のみで形成されていてもよい。
【００１０】
さらに詳しくは：
ペットパッドの内壁は、断熱層と着脱可能に接続されている。
ソファ本体の側壁の外面には、複数のベルト通し部と調節可能なストラップが設けられている。収容空間には、ペットを固定するためのバックルが設けられている。
収納袋は、ソファ本体の側壁の外面に設けられている。
ペットパッドには硬いパッドが付設される。
【考案の効果】
【００１１】
本考案の構造の上記説明から、本考案は従来技術と比較して以下の利点を有することが分かる：
第1に、本考案の支持部の配置は、ペットパッドの厚さを減少させ、別個の支持パッドを設ける必要性を排除し、製品の製造コストを低減し、製品の重量を減らして製品の使いやすさに寄与する。
【００１２】
第2に、本考案の支持部は、ソファ本体と一体的に設けられており、ソファ本体の折り畳みによって互い違いに折り畳まれて折り畳まれるので、ソファ本体全体を平らな本体に形成して容易に配置することができる。そして、あまり多くのスペースを占有することなく車のトランクなどで、製品の使いやすさを向上させる。
【００１３】
第3に、折り畳まれた状態で、ペットクッションをソファ本体から分離し、ソファ本体を平らな本体に折り畳んだ使用状態でソファ本体を開き、ペットクッションを支持するように支持部を拡げて、ペットクッションは、ソファの本体が折り畳まれた状態を回復するのを防ぐためにソファ本体を支えることができ、構造は独創的で使い易い。
【図面の簡単な説明】
【００１４】
【図１】本考案に車載ペット用ソファの模式図である。
【図２】本考案に係る車載ソファの分解構造を示す模式図である。
【図３】本考案のソファ本体の折り畳みプロセスの構造概略図である。
【考案を実施するための形態】
【００１５】
以下、添付図面を参照して本発明の具体的な実施形態を説明する。
図1、図2、図3に示すように、ソファ本体1とペットパッド2とを備えた車載ペット用ソファは、ソファ本体1が胴部構造をなしており、ソファ本体1に空間11が形成されており、ペットパッド2とソファ本体1との間の接続には、ジッパー、ベルクロ(登録商標)、スナップ留め具などが含まれるが、これらに限定されない。
【００１６】
ソファ本体1には支持部12が設けられている。支持部12は収容キャビティ11の底部に配置されており、支持部12はペットパッド2を支持するように構成されている。ソファ本体1は、この矩形の袋体構造のソファ本体1は、ソファ本体1の長手方向の両側が互いに近づくように、扁平な本体に折り畳むことができる。
【００１７】
図2および図3を参照すると、支持部12の好ましい実施形態は以下の通りである。支持部12は、対向配置された2つの支持部121を備えている。各支持部121は、2つの支持板により構成されている。支持板の後端は折り畳み可能である。
【００１８】
ソファ本体1の幅方向の両側の端部は互いに連結されている。 2つの支持ユニット121の2つの端部は、X字形の配置で互いに当接している。 2つの支持部121は、上述したソファ本体1と互い違いに配置され、重なっていてもよい。
【００１９】
支持部121は、2つの端部がソファの側壁の両端に固定された可撓性外筒支持部12は、単一の折り畳み可能な支持プレートであってもよく、他の折り畳み可能な支持ユニット構造又は支持プレートは、支持ユニット構造と共に配置されてもよい。支持プレート嵌合支持ユニット構造は、これに限定されるものではないが、Y形状配置等に面する単一の支持プレート嵌合支持ユニットを含む。
【００２０】
図2に示すように、ソファ本体1の側壁の外面には、複数のベルト通し部13と、ハーネス13が通る調整可能なストラップ14とが設けられており、ストラップ14がシートに取り付けられている。
【００２１】
シートベルトとシート、ペットのソファは、ペットの乗り心地と安全性を向上させるために固定されている。また、ペットを固定するためのバックル15がソファ本体1内に配置され、ペットの妨害を防止し、ペットの乗り心地をさらに向上させる。
【００２２】
ソファ本体1の側壁の外面には、ペットの餌のためのペットフードを収納するための収納袋16が設けられている。ペットパッド2の内側壁は、断熱層と着脱可能に接続されている。
【００２３】
本考案のソファ本体1を開いた後、ペットクッション2をソファ本体1に組み付けると、ある程度の硬さのペットクッション2がソファ本体1に耐え、ペットのサポートを良好にする外力や衝撃を受ける他の要因が折り畳まれた状態を復元する。特定の硬度を有するペットパッド2の解決策は、ペットパッド2の内側に硬質パッドを追加することを含むが、これに限定されない。
【００２４】
本考案のソファ本体1を開いた後、ペットクッション2をソファ本体1に組み付けると、一定の強度を有するペットクッション2がソファ本体1に抵抗し、外部からの力、衝撃その他の要因の影響で降り畳まれてしまうことを防止し、ペットを保護するのに好適である。
【００２５】
特定の硬度を有するペットパッド2の解決策には、ペットパッド2の内側にハードパッドを追加することが含まれるが、これに限定されない。支持部１２はペットパッド２に一定のサポートを提供し、これによってペットパッド2を装着したときにはペットからの視界がよくなる。
【００２６】
本考案の車載ペット用ソファは、使用時には、ペットパッド2をソファ本体1から分離してソファ本体1を平らな本体に折り畳んだ後、ペットパッド2と共に平らな本体に収納することができる。
【００２７】
本考案の車載ペット用ソファは、
第１に、ソファ本体1の平らな本体は、ペットパッド2の下端に連結されて、より多くの顧客のニーズに適した簡単で低背のペットソファを形成する。
第２に、ペットパッド2の上部に平らなソファ本体1が連結されて密閉されたボックス構造を形成し、顧客の保管及び保管がさらに容易になり、ペットの毛髪が自動車の胴及びその他の環境を汚染することを防止する。
以上、本発明の具体的な実施形態について説明したが、本発明の設計思想はこれに限定されるものではなく、本発明の保護範囲を侵害するものではない。
【図１】
0003215369.tif 000003
【図２】
0003215369.tif 000004
【図３】
0003215369.tif 000005